【手続補正書】
【提出日】平成18年2月27日(2006.2.27)
【手続補正１】
【補正対象書類名】明細書
【補正対象項目名】特許請求の範囲
【補正方法】変更
【補正の内容】
【特許請求の範囲】
【請求項１】  孔を有する形作られた表面を１端に備えたプローブ（probe）と、
該プローブの該孔に接続された管と、そして
上部表面を有するブァイアルインサート（vial insert）とを具備しており、
該上部表面の少なくとも１部分はテーパを付けられており、該上部表面はその最下部に孔を有しており、そして
該プローブの形作られた表面の少なくとも１部分が該ブァイアルインサートの該テーパを付けられた部分と接触する時該プローブの該形作られた表面と該ブァイアルインサートの該上部表面との間にテーパを付けられ形作られた空洞（cavity）が形成され、そして
該プローブは該ブァイアルインサートの該孔と接触しないことを特徴とする吸引する試薬装置（aspirating reagent device）。
【請求項２】  吸引する試薬装置に於いて、
孔を有する形作られた表面を１端に備えたプローブと、
該プローブの該孔に接続された管と、そして
外部表面と上部表面とを有するブァイアルインサートとを具備しており、該上部表面は形作られおりそして孔を有しており、該装置は又
開口部を有する試薬ブァイアルを具備しており該ブァイアルインサートの該外部表面は該試薬ブァイアルの該開口部と接しており、そして該装置は更に  該試薬ブァイアルの該開口部と該ブァイアルインサートの該外部表面との間内に形成された通路（pathway）を具備しており、該通路は空気が流れることを可能にしており、
該プローブの形作られた表面の少なくとも１部分は該ブァイアルインサートの該上部表面の少なくとも１部分と係合することを特徴とする吸引する試薬装置。
【請求項３】  吸引する試薬装置に於いて、
該プローブの該孔に接続された管と、そして
外部表面と上部表面とを有するブァイアルインサートとを具備しており、該外部表面はブレーク（breaks）を有するリブ（ribs）を備えておりそして該上部表面は形作られそして孔を有しており、そして該装置は又
開口部を有する試薬ブァイアルを具備しており、該ブァイアルインサートの該外部表面は該試薬ブァイアルの該開口部と接しており、
該プローブの形作られた表面の少なくとも１部分は該ブァイアルインサートの該上部表面の少なくとも１部分と係合しており、
該リブは該試薬ブァイアルの該開口部に対して加圧しており、そして
該ブレークは空気が流れることを可能にするための通路を形成することを特徴とする吸引する試薬装置。
【請求項４】  孔を有する形作られた表面を１端に備えたプローブと、
該プローブの該孔に接続された管と、そして
上部部分と下部部分とを有する凹んだ表面を備えたプローブ分配ステーション（probe dispens station）とを具備しており、該凹んだ表面の該下部部分は孔を有しており、
該プローブの該形作られた表面の該少なくとも１部分は該凹んだ表面の該上部部分で該プローブ分配ステーションと接触しており、該プローブの該形作られた表面は該凹んだ表面の該下部部分では該プローブ分配ステーションの該凹んだ表面とは接触しないことを特徴とする分配する試薬装置（dispensing reagent device）。
【請求項５】  試薬吸引システムに於いて、
孔を有する形作られた表面を１端に備えたプローブと、
該プローブの該孔に接続された管と、
該管内で流体を動かすための手段と、
開口部を有する試薬ブァイアルと
該試薬ブァイアルの該開口部に隣接するブァイアルインサートとを具備しており、該ブァイアルインサートは上部部分と下部部分とを有する凹んだ表面を備えており、該凹んだ表面の該下部部分は孔を有しており、該プローブの該形作られた表面は該凹んだ表面の該上部部分で該ブァイアルインサートに接触しており、該プローブの該形作られた表面は該凹んだ表面の該下部部分では該ブァイアルインサートに接触しておらず、そして該システムは又
該ブァイアルインサートと接触するために該プローブを動かすための手段を具備することを特徴とする試薬吸引システム。
【請求項６】  試薬分配システムに於いて、
孔を有するプローブと、
該プローブの該孔に接続された管と、
該管内で流体を動かすための手段と、
孔を有する上部表面を備えたブァイアル分配ステーションとを具備しており、該プローブは該上部表面の該孔を含まない部分と接触しており、該システムは又、
該ブァイアル分配ステーションの該孔に接続された管と、そして
該プローブを該ブァイアル分配ステーションと係合させるために該プローブと該ブァイアル分配ステーションとを相互に対し動かすための手段を具備していることを特徴とする試薬分配システム。
【請求項７】  試薬ブァイアルから試薬を吸引する方法が、
プローブと、ブァイアルインサートとそして試薬ブァイアルとを提供する過程を具備しており、該プローブは下部表面を有しており、該ブァイアルインサートは上部表面を有しており該上部表面の少なくとも１部分はテーパが付けられておりそして該上部表面はその最下部に孔を有しており、該試薬ブァイアルはその中に該ブァイアルインサートが置かれる開口部を有しており、該方法は又、
該プローブの該下部表面と該ブァイアルインサートの該テーパを付けられた部分との間にシールを形成するためそして該プローブの該下部表面と該ブァイアルインサートの該最下部との間に空洞を形成するために該プローブの該下部表面を該ブァイアルインサートの該テーパを付けられた部分と接触させる過程と
該試薬ブァイアルから試薬を引き出す過程と、そして
該プローブの該下部表面を該ブァイアルインサートの該上部表面から係合を解く過程とを具備することを特徴とする試薬ブァイアルから試薬を吸引する方法。
【請求項８】  試薬ブァイアルから試薬を吸引する方法に於いて、
下部表面を有するプローブと、上部表面を有しかつデイップチューブを有するブァイアルインサートと、そして開口部を有する試薬ブァイアルとを提供する過程を具備しており、該ブァイアルインサートは該開口部内に置かれておりそして
該デイップチューブは該試薬ブァイアル内に延びており、該方法は又
プローブの該下部表面の少なくとも１部分と該ブァイアルインサートの該上部表面の少なくとも１部分との間のシールを形成するために該プローブの該下部表面を該ブァイアルインサートの該上部表面と接触させる過程と、
空気を該デイップチューブ内に吹き込む過程と、
該試薬ブァイアルから試薬を引き出す過程と、そして
該プローブの該下部表面を該ブァイアルインサートの該上部表面から係合を解く過程とを具備することを特徴とする試薬ブァイアルから試薬を吸引する方法。
【請求項９】  試薬を分配する方法が、
下部表面を有するプローブと、孔を有する上部表面を備えたプローブ分配ステーションとそして該プローブ分配ステーションに接続された管とを提供する過程と、
該プローブの該下部表面の少なくとも１部分と該プローブ分配ステーションの上部表面の１部分との間にシールを形成するために該プローブの該下部表面を該プローブ分配ステーションの該上部表面と係合させる過程とを具備しており、該プローブの該下部表面は該プローブ分配ステーションの該孔とは接触しておらず、該方法は又、
試薬を該管を通して分配する過程と、そして
該プローブの該下部表面を該プローブ分配ステーションの該上部表面の該部分から係合を解く過程とを具備することを特徴とする試薬を分配する方法。
【請求項１０】  プローブとプローブ分配ステーションとを清浄化する方法が、
下部表面を有する該プローブと、上部表面を備えた該プローブ分配ステーションと、そして管とを提供する過程を具備しており、該上部表面は第１の孔と第２の孔と有しており、該第１の孔は該上部表面の最下部にあり、該第２の孔は該管に接続されたおり、該方法は又
該プローブの該下部表面の少なくとも１部分と該プローブ分配ステーションの該上部表面の少なくとも１部分との間にシールを形成するためそして該プローブの該下部表面と該プローブ分配ステーションの該上部表面との間に空洞を形成するために該プローブの該下部表面を該プローブ分配ステーションの該上部表面と係合させる過程を具備しており、該空洞は該上部表面の第１及び第２孔を含んでおり、該方法は又更に
該第２の孔に接続された該管を通して流体を送ることにより少なくとも該プローブの該下部表面と該プローブ分配ステーションの該上部表面とを清浄化する過程と、そして
該プローブの該下部表面を該プローブ分配ステーションの該上部表面から係合を解く過程とを具備することを特徴とするプローブとプローブ分配ステーションとを清浄化する方法。
【手続補正２】
【補正対象書類名】明細書
【補正対象項目名】００４８
【補正方法】変更
【補正の内容】
【００４８】
前記詳細な説明から、本発明のハードウエア及びソフトウエアの側面に対し多くの変更や変型がなされ得るがそれらは本発明の真の精神と範囲から離れるものでないことは評価されるところである。例えば、本発明は何等特定の種類のコンピユータのアーキテクチャ又は特定の種類のプロトコルに依存していない。本発明のこの真の精神と範囲は前記明細書に照らして解釈されるべき、付属する請求項により規定されている。
本発明の好ましい態様を整理して記載すれば、下記のとおりである。
１． 孔を有する形作られた表面を１端に備えたプローブ（probe）と、
該プローブの該孔に接続された管と、そして
上部表面を有するブァイアルインサート（vial insert）とを具備しており、
該上部表面の少なくとも１部分はテーパを付けられており、該上部表面はその最下部に孔を有しており、そして
該プローブの形作られた表面の少なくとも１部分が該ブァイアルインサートの該テーパを付けられた部分と接触する時該プローブの該形作られた表面と該ブァイアルインサートの該上部表面との間にテーパを付けられ形作られた空洞（cavity）が形成され、そして
該プローブは該ブァイアルインサートの該孔と接触しないことを特徴とする吸引する試薬装置（aspirating reagent device）。
２． 上記１の吸引する試薬装置に於いて、該プローブの該形作られた表面は半球形でありそして該プローブの該形作られた表面と該ブァイアルインサートの間の該接触は環状のシールを形成することを特徴とする吸引する試薬装置。
３． 上記１の吸引する試薬装置に於いて、該ブァイアルインサートの該上部表面が形状が円錐形であることを特徴とする吸引する試薬装置。
４． 上記３の吸引する試薬装置に於いて、該プローブの該１端が形状が半球形であることを特徴とする吸引する試薬装置。
５． 上記１の吸引する試薬装置に於いて、該孔はブァイアル移行範囲（vial transition area）を有しておりそして該装置は更に該ブァイアル移行範囲に隣接してデイップチューブ（dip tube）を具備することを特徴とする吸引する試薬装置。
６． 上記１の吸引する試薬装置が更に、該プローブの該孔に接続された該管に接続されたシリンジ（syringe）を具備することを特徴とする吸引する試薬装置。
７． 上記１の吸引する試薬装置に於いて、該ブァイアルインサートは外部表面を有しておりそして該装置は更に開口部を有する試薬ブァイアルを具備しており、該ブァイアルインサートの該外部表面は該試薬ブァイアルの該開口部と接することを特徴とする吸引する試薬装置。
８． 上記７の吸引する試薬装置に於いて、該ブァイアルインサートの該外部表面はリブを有しており、該リブは該試薬ブァイアルの該開口部に対し加圧していることを特徴とする吸引する試薬装置。
９． 吸引する試薬装置に於いて、
孔を有する形作られた表面を１端に備えたプローブと、
該プローブの該孔に接続された管と、そして
外部表面と上部表面とを有するブァイアルインサートとを具備しており、該上部表面は形作られおりそして孔を有しており、該装置は又
開口部を有する試薬ブァイアルを具備しており該ブァイアルインサートの該外部表面は該試薬ブァイアルの該開口部と接しており、そして該装置は更に  該試薬ブァイアルの該開口部と該ブァイアルインサートの該外部表面との間内に形成された通路（pathway）を具備しており、該通路は空気が流れることを可能にしており、
該プローブの形作られた表面の少なくとも１部分は該ブァイアルインサートの該上部表面の少なくとも１部分と係合することを特徴とする吸引する試薬装置。
１０． 上記９の吸引する試薬装置に於いて、該通路は回り道型であることを特徴とする吸引する試薬装置。
１１． 吸引する試薬装置に於いて、
該プローブの該孔に接続された管と、そして
外部表面と上部表面とを有するブァイアルインサートとを具備しており、該外部表面はブレーク（breaks）を有するリブ（ribs）を備えておりそして該上部表面は形作られそして孔を有しており、そして該装置は又
開口部を有する試薬ブァイアルを具備しており、該ブァイアルインサートの該外部表面は該試薬ブァイアルの該開口部と接しており、
該プローブの形作られた表面の少なくとも１部分は該ブァイアルインサートの該上部表面の少なくとも１部分と係合しており、
該リブは該試薬ブァイアルの該開口部に対して加圧しており、そして
該ブレークは空気が流れることを可能にするための通路を形成することを特徴
とする吸引する試薬装置。
１２． 上記１の吸引する試薬装置に於いて、該ブァイアルインサートの少なくとも１部分が柔軟な材料から成ることを特徴とする吸引する試薬装置。
１３． 孔を有する形作られた表面を１端に備えたプローブと、
該プローブの該孔に接続された管と、そして
上部部分と下部部分とを有する凹んだ表面を備えたプローブ分配ステーション（probe dispens station）とを具備しており、該凹んだ表面の該下部部分は孔を有しており、
該プローブの該形作られた表面の該少なくとも１部分は該凹んだ表面の該上部部分で該プローブ分配ステーションと接触しており、該プローブの該形作られた
表面は該凹んだ表面の該下部部分では該プローブ分配ステーションの該凹んだ表面とは接触しないことを特徴とする分配する試薬装置（dispensing reagent device）。
１４． 上記１３の分配する試薬装置に於いて、該プローブの該形作られた表面が半球形でありそして該プローブ分配ステーションの該上部表面が半球形であることを特徴とする分配する試薬装置。
１５． 上記１３の分配する試薬装置に於いて、該プローブの少なくとも１部分が柔軟な材料から成ることを特徴とする分配する試薬装置。
１６． 上記１５の分配する試薬装置に於いて、該プローブの柔軟な材料から成る該１部分がオーリング（o-ring）であることを特徴とする分配する試薬装置。
１７． 上記１３の分配する試薬装置に於いて、該ブァイアルインサートが更にトローフ（trough）を有し、該トローフが該ブァイアルインサートの該上部表面に隣接していることを特徴とする分配する試薬装置。
１８．  上記１７の分配する試薬装置に於いて、該トローフが下方へ螺旋状になっている（spirals）ことを特徴とする分配する試薬装置。
１９． 上記１３の分配する試薬装置に於いて、該ブァイアル分配ステーションが更に該上部表面内に第２の孔を有し、該第２の孔が洗浄バッフアー（wash buffer）を該ブァイアル分配ステーションの該上部表面へ送るための管に接続されていることを特徴とする分配する試薬装置。
２０． 試薬吸引システムに於いて、
孔を有する形作られた表面を１端に備えたプローブと、
該プローブの該孔に接続された管と、
該管内で流体を動かすための手段と、
開口部を有する試薬ブァイアルと
該試薬ブァイアルの該開口部に隣接するブァイアルインサートとを具備しており、該ブァイアルインサートは上部部分と下部部分とを有する凹んだ表面を備えており、該凹んだ表面の該下部部分は孔を有しており、該プローブの該形作られた表面は該凹んだ表面の該上部部分で該ブァイアルインサートに接触しており、該プローブの該形作られた表面は該凹んだ表面の該下部部分では該ブァイアルインサートに接触しておらず、そして該システムは又
該ブァイアルインサートと接触するために該プローブを動かすための手段を具備することを特徴とする試薬吸引システム。
２１． 上記２０の試薬吸引システムに於いて、該管内で流体を動かすための該手段が、
プランジャを有するシリンジ（syringe）を備えており、該シリンジは該管に接続されており、そして該管内で流体を動かすための該手段は又
該プランジャに接続されたモータを備えることを特徴とする試薬吸引システム。
２２． 上記２０の試薬吸引システムに於いて、該ブァイアルインサートと接触するよう該プローブを動かすための該手段が少なくとも１つの空気シリンダを有することを特徴とする試薬吸引システム。
２３． 上記２０の試薬吸引システムに於いて、該プローブが形状が円筒形であり該プローブの下部部分に該孔を有することを特徴とする試薬吸引システム。
２４． 上記２０の試薬吸引システムに於いて、該プローブの該形作られた表面は凸面であり、
該ブァイアルインサートの該凹んだ表面は円錐形であり、そして
該プローブの該ブァイアルインサートとの接触中に、該プローブの該孔は直接的に該ブァイアルインサートの該孔の上にあることを特徴とする試薬吸引システム。
２５． 上記２４の試薬吸引システムが更に、
該プローブの形作られた表面が該上部部分で該ブァイアルインサートの該凹んだ表面と接触する時に形成される空洞を具備しており、該空洞は漏斗状の形状をしていることを特徴とする試薬吸引システム。
２６． 試薬分配システムに於いて、
孔を有するプローブと、
該プローブの該孔に接続された管と、
該管内で流体を動かすための手段と、
孔を有する上部表面を備えたブァイアル分配ステーションとを具備しており、該プローブは該上部表面の該孔を含まない部分と接触しており、該システムは又、
該ブァイアル分配ステーションの該孔に接続された管と、そして
該プローブを該ブァイアル分配ステーションと係合させるために該プローブと該ブァイアル分配ステーションとを相互に対し動かすための手段を具備していることを特徴とする試薬分配システム。
２７． 上記２６の試薬分配システムに於いて、該管内で流体を動かすための該手段がプランジャを有するシリンジを含んでおり、該シリンジは該管と接続されており、そして該館内で流体を動かすための該手段は又、
該プランジャに接続されたモータを含むことを特徴とする試薬分配システム。
２８． 上記２６の試薬分配システムに於いて、該ブァイアル分配ステーションの該上部表面は半球形でありそして該プローブは１端に於いて半球形であることを特徴とする試薬分配システム。
２９． 上記２８の試薬分配システムに於いて、該プローブの少なくとも１部分は柔軟な材料から成ることを特徴とする試薬分配システム。
３０． 試薬ブァイアルから試薬を吸引する方法が、
プローブと、ブァイアルインサートとそして試薬ブァイアルとを提供する過程を具備しており、該プローブは下部表面を有しており、該ブァイアルインサートは上部表面を有しており該上部表面の少なくとも１部分はテーパが付けられておりそして該上部表面はその最下部に孔を有しており、該試薬ブァイアルはその中に該ブァイアルインサートが置かれる開口部を有しており、該方法は又、
該プローブの該下部表面と該ブァイアルインサートの該テーパを付けられた部分との間にシールを形成するためそして該プローブの該下部表面と該ブァイアルインサートの該最下部との間に空洞を形成するために該プローブの該下部表面を該ブァイアルインサートの該テーパを付けられた部分と接触させる過程と
該試薬ブァイアルから試薬を引き出す過程と、そして
該プローブの該下部表面を該ブァイアルインサートの該上部表面から係合を解く過程とを具備することを特徴とする試薬ブァイアルから試薬を吸引する方法。
３１． 上記３０の試薬を吸引する方法に於いて、該プローブの該下部表面を該ブァイアルインサートの該テーパを付けられた部分と接触させる過程が更に該プローブの該下部表面と該ブァイアルインサートの該テーパを付けられた部分との間に漏斗状の空洞（cavity）を形成する過程を含むことを特徴とする試薬を吸引する方法。
３２． 試薬ブァイアルから試薬を吸引する方法に於いて、
下部表面を有するプローブと、上部表面を有しかつデイップチューブを有するブァイアルインサートと、そして開口部を有する試薬ブァイアルとを提供する過程を具備しており、該ブァイアルインサートは該開口部内に置かれておりそして
該デイップチューブは該試薬ブァイアル内に延びており、該方法は又
プローブの該下部表面の少なくとも１部分と該ブァイアルインサートの該上部表面の少なくとも１部分との間のシールを形成するために該プローブの該下部表面を該ブァイアルインサートの該上部表面と接触させる過程と、
空気を該デイップチューブ内に吹き込む過程と、
該試薬ブァイアルから試薬を引き出す過程と、そして
該プローブの該下部表面を該ブァイアルインサートの該上部表面から係合を解く過程とを具備することを特徴とする試薬ブァイアルから試薬を吸引する方法。
３３． 上記３２の試薬を吸引する方法に於いて、該デイップチューブは予め決められた容積を有しておりそして該デイップチューブ内に或る量の空気を吹き込む該過程は該デイップチューブの該予め決められた容積に少なくとも等しい空気の量を該デイップチューブ内に吹き込む過程を含むことを特徴とする試薬を吸引する方法。
３４． 上記３０の試薬を吸引する方法に於いて、該プローブの該下部表面を該ブァイアルインサートの該上部表面から係合を解く過程が該プローブが該ブァイアルインサートの上にあるように該プローブと該ブァイアルインサートとを相互に対し動かす過程を含んでおり、そして該方法が更に、
該プローブと該ブァイアルインサートとを相互に対し動かす過程の直後に該プローブ内の該孔から液体の少なくとも１滴に等しい量を引き出す過程を具備していることを特徴とする試薬を吸引する方法。
３５． 上記３０の試薬を吸引する方法に於いて、該プローブの該下部表面は孔を有しておりそして該ブァイアルインサートの該上部表面は孔を有しており、該方法は更に、
該プローブの該下部表面内の該孔に接続された管と該管に接続されプランジャを有するシリンジとを提供する過程を具備しており、そして
該試薬ブァイアルから試薬を引き出す該過程は該ブァイアルインサートの該上部表面内の該孔を通り、該プローブの該下部表面内の該孔を通りそして該プローブの該下部表面の該孔に接続された該管内へ試薬を引き出すために該プランジャを動かす過程を含むことを特徴とする試薬を吸引する方法。
３６． 上記３０の試薬を吸引する方法に於いて、該プローブの該下部表面を該ブァイアルインサートの該上部表面と係合させる該過程が該プローブを動かすために少なくとも１つの空気シリンダを賦活する過程を含むことを特徴とする試薬を吸引する方法。
３７． 試薬を分配する方法が、
下部表面を有するプローブと、孔を有する上部表面を備えたプローブ分配ステーションとそして該プローブ分配ステーションに接続された管とを提供する過程と、
該プローブの該下部表面の少なくとも１部分と該プローブ分配ステーションの上部表面の１部分との間にシールを形成するために該プローブの該下部表面を該プローブ分配ステーションの該上部表面と係合させる過程とを具備しており、該プローブの該下部表面は該プローブ分配ステーションの該孔とは接触しておらず、該方法は又、
試薬を該管を通して分配する過程と、そして
該プローブの該下部表面を該プローブ分配ステーションの該上部表面の該部分
から係合を解く過程とを具備することを特徴とする試薬を分配する方法。
３８． 上記３７の試薬を分配する方法に於いて、該プローブ分配ステーションの該上部表面は凹んでおり、
該孔は該上部表面の最下部にあり、そして
該プローブの該下部表面を該プローブ分配ステーションの該上部表面と係合させる過程が該プローブ上の柔軟な表面を該プローブ分配ステ−ションの該上部表面の該部分と接触させる過程を含むことを特徴とする試薬を分配する方法。
３９． 上記３７の試薬を分配する方法が更に、該プローブの該下部表面を該プローブ分配ステーションの該上部表面から係合を解く過程の前に少なくとも該プローブの該下部表面と該プローブ分配ステーションの該上部表面とを清浄化する過程を具備することを特徴とする試薬を分配する方法。
４０． 上記３７の試薬を分配する方法に於いて、該プローブの該下部表面を該プローブ分配ステーションの該上部表面と係合させる過程が環状シールを形成するために該プローブの該下部表面を該プローブ分配ステーションの該上部表面と接触させる過程を含むことを特徴とする試薬を分配する方法。
４１． 上記３７の試薬を分配する方法に於いて、該プローブの該下部表面を該プローブ分配ステーションの該上部表面の該部分から係合を解く過程は該プローブが該プローブ分配ステーションの上にあるように該プローブと該プローブ分配ステーションとを相互に対し動かす過程を含んでおり、そして該方法は更に
該プローブと該ブァイアルインサートを相互に対し動かす過程の直後に該プローブ内の該孔から液体の少なくとも１滴に等しい量を引き出す過程を具備することを特徴とする試薬を分配する方法。
４２． プローブとプローブ分配ステーションとを清浄化する方法が、
下部表面を有する該プローブと、上部表面を備えた該プローブ分配ステーションと、そして管とを提供する過程を具備しており、該上部表面は第１の孔と第２の孔と有しており、該第１の孔は該上部表面の最下部にあり、該第２の孔は該管に接続されたおり、該方法は又
該プローブの該下部表面の少なくとも１部分と該プローブ分配ステーションの該上部表面の少なくとも１部分との間にシールを形成するためそして該プローブの該下部表面と該プローブ分配ステーションの該上部表面との間に空洞を形成するために該プローブの該下部表面を該プローブ分配ステーションの該上部表面と係合させる過程を具備しており、該空洞は該上部表面の第１及び第２孔を含んでおり、該方法は又更に
該第２の孔に接続された該管を通して流体を送ることにより少なくとも該プローブの該下部表面と該プローブ分配ステーションの該上部表面とを清浄化する過程と、そして
該プローブの該下部表面を該プローブ分配ステーションの該上部表面から係合を解く過程とを具備することを特徴とするプローブとプローブ分配ステーションとを清浄化する方法。
４３． 上記４２のプローブとプローブ分配ステーションとを清浄化する方法に於いて、該プローブの該下部表面は孔を有しており、該方法は更に、該プローブ内の該孔に接続された該管を通して流体を送ることにより少なくとも該プローブの該下部表面と該プローブ分配ステーションの該上部表面とを清浄化する過程を具備することを特徴とするプローブとプローブ分配ステーションとを清浄化する方法。
４４． 上記４３のプローブとプローブ分配ステーションとを清浄化する方法に於いて、該第２の孔に接続された該管を通して流体を送ることにより清浄化する過程と該プローブ内の該孔に接続された該管を通して流体を送ることにより清浄化する過程とが交互に行われることを特徴とするプローブとプローブ分配ステーションとを清浄化する方法。